(57)【要約】【課題】  観察条件に応じて画像の色を容易に調整する。【解決手段】  デジタルカメラ４は、表示装置１２４に表示された色見本を撮像し、ＰＣ１２は、デジタルカメラ４から受入れた色見本撮像データを第１の商品画像５０と共にサーバ１４に対して送信する。デジタルカメラ３は、表示装置１０４に表示された色見本を撮像し、ＰＣ１０は、デジタルカメラ３から受入れた色見本撮像データをサーバ１４に対して送信する。サーバ１４は、デジタルカメラ３，４により撮像された色見本撮像データに対し、デジタルカメラ３，４による色の見えの変化を取り除くように変換する。サーバ１４は、表示装置１０４が表示する第２の商品画像の色を表示装置１２４が表示する第１の商品画像の色に一致させるように変換する変換プロファイル６を作成し、第１の商品画像を変換プロファイル６によって第２の商品画像に変換する。【選択図】          図１
2006094137.tif 000002
【特許請求の範囲】
【請求項１】
第１の環境に出力された画像を該第１の環境の観察条件とともに取得し、第２の環境に出力された画像を該第２の環境の観察条件とともに取得し、前記第１の画像取得手段及び前記第２の画像取得手段それぞれが取得した画像及び観察条件の相違を取得し、取得した画像及び観察条件の相違に基づいて、第１の環境に出力された画像の色が第２の環境において略同じ色に出力されるように色調整することを特徴とする画像処理方法。
【請求項２】
第１の環境に出力された画像を該第１の環境の観察条件とともに取得する第１の画像取得手段と、第２の環境に出力された画像を該第２の環境の観察条件とともに取得する第２の画像取得手段と、前記第１の画像取得手段及び前記第２の画像取得手段それぞれが取得した画像及び観察条件の相違を取得する相違取得手段と、この相違取得手段が取得した画像及び観察条件の相違に基づいて、第１の環境に出力された画像の色が第２の環境において略同じ色に出力されるように色調整する色調整手段とを有することを特徴とする画像処理システム。
【請求項３】
前記第１の画像取得手段及び前記第２の画像取得手段は、デジタルカメラであることを特徴とする請求項２記載の画像処理システム。
【発明の詳細な説明】
【技術分野】
【０００１】
本発明は、出力される画像の色を調整する画像処理方法及び画像処理システムに関するものである。
【背景技術】
【０００２】
ネットワークを介して接続された複数のＰＣ（Personal Computer）を用いることにより、画像データを他のＰＣから受信して表示させることが容易になっている。ここで、画像データを受信したＰＣによって表示される画像は、ディスプレイの特性により、画像データを送信したＰＣによって表示される画像に対し、色が異なってしまうという問題があった。そこで、画像を受信するＰＣにおいて測色することにより、受信する画像の色を調整することは公知である（特許文献１，２参照）。
【０００３】
【特許文献１】特開２０００−２０６８１号公報
【特許文献２】特開２００２−２１８２６１号公報
【発明の開示】
【発明が解決しようとする課題】
【０００４】
しかしながら、上述した発明では、環境光の違いによる色の見えの違いが考慮されておらず、画像を送信するユーザと画像を受信するユーザとの間で、環境光の違いによる色の見えの違いが生じてしまうという問題があった。
【０００５】
そこで、本発明は、観察条件に応じて画像の色を容易に調整することができる画像処理方法及び画像処理システムを提供することを目的とする。
【課題を解決するための手段】
【０００６】
上記目的を達成するため、本発明の第１の特徴とするところは、第１の環境に出力された画像を該第１の環境の観察条件とともに取得し、第２の環境に出力された画像を該第２の環境の観察条件とともに取得し、前記第１の画像取得手段及び前記第２の画像取得手段それぞれが取得した画像及び観察条件の相違を取得し、取得した画像及び観察条件の相違に基づいて、第１の環境に出力された画像の色が第２の環境において略同じ色に出力されるように色調整する画像処理方法にある。即ち、取得した画像及び観察条件の相違を取得するので、環境光の違いによる色の見えの違いを考慮して画像を測色することなく、観察条件に応じて画像の色を容易に調整することができる。
【０００７】
また、本発明の第２の特徴とするところは、第１の環境に出力された画像を該第１の環境の観察条件とともに取得する第１の画像取得手段と、第２の環境に出力された画像を該第２の環境の観察条件とともに取得する第２の画像取得手段と、前記第１の画像取得手段及び前記第２の画像取得手段それぞれが取得した画像及び観察条件の相違を取得する相違取得手段と、この相違取得手段が取得した画像及び観察条件の相違に基づいて、第１の環境に出力された画像の色が第２の環境において略同じ色に出力されるように色調整する色調整手段とを有する画像処理システムにある。即ち、第１の画像取得手段及び第２の画像取得手段それぞれが取得した画像及び観察条件の相違を相違取得手段が取得するので、環境光の違いによる色の見えの違いを考慮して画像を測色することなく、観察条件に応じて画像の色を容易に調整することができる。
【０００８】
好適には、前記第１の画像取得手段及び前記第２の画像取得手段は、デジタルカメラである。即ち、観察条件とともに画像を容易に取得することができる。
【発明の効果】
【０００９】
本発明によれば、観察条件に応じて画像の色を容易に調整することができる。
【発明を実施するための最良の形態】
【００１０】
次に本発明の実施形態を図面に基づいて説明する。
図１において、本発明の実施形態に係る画像処理システム１の概略が示されている。
図１に示すように、画像処理システム１は、ネットワーク２に接続されたＰＣ１０，１２、サーバ１４、及び、ＰＣ１０，１２それぞれが配置された環境で画像を撮像するデジタルカメラ３，４を有する。
【００１１】
ＰＣ１０は、ネットワーク２を介し、例えばネットオークションによって商品を購入する商品購入ユーザ側に配置されており、ＰＣ本体１００、キーボード及びマウスなどの入力装置１０２及びカラー画像を表示可能なＬＣＤ表示装置又はＣＲＴ表示装置などの表示装置１０４とを有する。ＰＣ１２は、ネットワーク２を介し、例えばネットオークションによって商品を提供する商品提供ユーザ側に配置されており、ＰＣ本体１２０、キーボード及びマウスなどの入力装置１２２及びカラー画像を表示可能なＬＣＤ表示装置又はＣＲＴ表示装置などの表示装置１２４とを有する。
【００１２】
デジタルカメラ３は、商品購入ユーザ側に配置されたＰＣ１０近傍に設けられ、撮像によって生成した画像データを図示しないＵＳＢケーブル又はメモリカードなどの記録媒体を介し、ＰＣ１０に対して出力する。デジタルカメラ４は、商品提供ユーザ側に配置されたＰＣ１２近傍に設けられ、撮像によって生成した画像データを図示しないＵＳＢケーブル又はメモリカードなどの記録媒体を介し、ＰＣ１２に対して出力する。なお、デジタルカメラ３，４は、出力する画像データに、例えばデジタルカメラ３，４の製造メーカ及び型番が付されるようになっている。
このように、商品提供ユーザ及び商品購入ユーザは、それぞれＰＣ１０，１２によって画像データを含む様々なデータを互いに送受することができるようにされている。
【００１３】
サーバ１４は、図示しない記憶装置を有し、色見本データ、デジタルカメラ３，４を含む複数のデジタルカメラのＩＣＣプロファイル（データベース）、及び、後述する変換プロファイルを作成する変換プロファイル作成プログラムなどをを記憶している。また、サーバ１４は、これらのデータ及びプログラムを用いた演算処理を行い、ＰＣ１０，１２との間でデータを送受する。
【００１４】
また、ＰＣ１０が配置されている商品購入ユーザ側には、ＰＣ１０に対する光源として照明１０６が設けられており、ＰＣ１２が配置されている商品提供ユーザ側には、ＰＣ１２に対する光源として照明１２６が設けられており、照明１０６と照明１２６とは、分光分布が異なるものになっている。
【００１５】
次に、画像処理システム１において、商品購入ユーザが表示装置１０４に表示させる画像の色が、商品提供ユーザが表示装置１２４に表示させている画像と略同じ色（同じ色の印象）になるように、サーバ１４が行なう処理について説明する。
図２において、サーバ１４が変換プロファイルを作成することにより、表示装置１２４に表示された画像を変換し、表示装置１０４に表示させる画像を生成する処理が模式的に示されている。
【００１６】
第１の商品画像５０は、商品提供ユーザが表示装置１２４に表示させている画像（画像データ）であり、光源が照明１２６である商品提供ユーザ側の環境において、商品提供ユーザがネットオークションに提供する商品をデジタルカメラ４によって撮像することによって生成される。
【００１７】
第１の特性５２は、商品提供ユーザ側における照明光特性及びディスプレイ特性を含み、光源が照明１２６である商品提供ユーザ側の環境において、商品提供ユーザが表示装置１２４に表示された画像をデジタルカメラ４によって撮像することにより生成される。つまり、第１の特性５２におけるディスプレイ特性は、デジタルカメラ４の特性に応じて生成されたものである。
【００１８】
第２の特性５４は、商品購入ユーザ側における照明光特性及びディスプレイ特性を含み、光源が照明１０６である商品購入ユーザ側の環境において、商品購入ユーザが表示装置１０４に表示された画像をデジタルカメラ３によって撮像することにより生成される。つまり、第２の特性５４におけるディスプレイ特性は、デジタルカメラ３の特性に応じて生成されたものである。
【００１９】
変換プロファイル６は、表示装置１２４に表示されている画像が表示装置１０４によって略同じ色（同じ色の印象）の画像として表示されるように、表示装置１２４に表示されている画像（画像データ）を変換するためのプロファイルであり、サーバ１４によって色見本データ、デジタルカメラ３，４のＩＣＣプロファイル、第１の特性５２及び第２の特性５４から生成される。
【００２０】
第２の商品画像５６は、商品購入ユーザが表示装置１０４に表示させる画像（画像データ）であり、光源が照明１０６である商品購入ユーザ側の環境において、表示装置１２４に表示されている画像と略同じ色（同じ色の印象）の画像として表示されるように、サーバ１４が変換プロファイル６を用いて生成するものである。
【００２１】
図３は、表示装置１２４に表示されている画像を、表示装置１０４によって略同じ色（同じ色の印象）の画像として表示されるように変換する処理（Ｓ１０）を示すフローチャートである。
図３に示すように、ステップ１００（Ｓ１００）において、商品提供ユーザが入力装置１２２を操作することにより、ＰＣ１２は、サーバ１４から色見本データをダウンロードし、色見本を表示装置１２４に表示する。
【００２２】
ステップ１０２（Ｓ１０２）において、商品提供ユーザがデジタルカメラ４を操作することにより、デジタルカメラ４は、表示装置１２４に表示された色見本（色見本表示）を撮像し、色見本撮像データをＰＣ１２に対して出力する。
【００２３】
ステップ１０４（Ｓ１０４）において、商品提供ユーザが入力装置１２２を操作することにより、ＰＣ１２は、デジタルカメラ４から受入れた色見本撮像データを第１の商品画像５０と共にサーバ１４に対して送信する。
【００２４】
ステップ１０６（Ｓ１０６）において、商品購入ユーザが入力装置１０２を操作することにより、ＰＣ１０は、サーバ１４から色見本データをダウンロードし、色見本を表示装置１０４に表示する。
【００２５】
ステップ１０８（Ｓ１０８）において、商品購入ユーザがデジタルカメラ３を操作することにより、デジタルカメラ３は、表示装置１０４に表示された色見本（色見本表示）を撮像し、色見本撮像データをＰＣ１０に対して出力する。
【００２６】
ステップ１１０（Ｓ１１０）において、商品購入ユーザが入力装置１０２を操作することにより、ＰＣ１０は、デジタルカメラ３から受入れた色見本撮像データをサーバ１４に対して送信する。
【００２７】
ステップ１１２（Ｓ１１２）において、サーバ１４は、デジタルカメラ３，４を含む複数のデジタルカメラのＩＣＣプロファイル（データベース）の中から、色見本撮像データに付されたデジタルカメラ３，４の製造メーカ及び型番に応じて、デジタルカメラ３，４それぞれのＩＣＣプロファイルを選択する。
【００２８】
ステップ１１４（Ｓ１１４）において、サーバ１４は、デジタルカメラ３，４それぞれにより撮像された色見本撮像データに対し、デジタルカメラ３，４それぞれのＩＣＣプロファイルを用いて、デジタルカメラ３，４による色の見え（印象）の変化を取り除くように変換し、商品提供ユーザ側及び商品購入ユーザ側それぞれの変換された色見本撮像データを生成する。つまり、商品提供ユーザ側の変換された色見本撮像データは、色見本データに対して照明１２６、表示装置１２４及びデジタルカメラ４によって色の見え（印象）が変化した色見本撮像データから、デジタルカメラ４による色の見えの変化が取り除かれたデータになっている。また、商品購入ユーザの変換された色見本撮像データは、色見本データに対して照明１０６、表示装置１０４及びデジタルカメラ３によって色の見え（印象）が変化した色見本撮像データから、デジタルカメラ３による色の見えの変化が取り除かれたデータになっている。
【００２９】
ステップ１１６（Ｓ１１６）において、サーバ１４は、商品提供ユーザ側及び商品購入ユーザ側それぞれの変換された色見本撮像データ及び色見本データから、照明１２６による照明光の下で表示装置１２４が表示した色と色見本とを変換するプロファイル、及び、照明１０６による照明光の下で表示装置１０４が表示した色と色見本とを変換するプロファイルを生成することにより、表示装置１０４が表示する第２の商品画像５６の色を表示装置１２４が表示する第１の商品画像５０の色に一致させるように変換する変換プロファイル６を作成する（図２参照）。  
【００３０】
ステップ１１８（Ｓ１１８）において、サーバ１４は、第１の商品画像５０を変換プロファイル６によって第２の商品画像５６に変換する。
【００３１】
ステップ１２０（Ｓ１２０）において、サーバ１４は、第２の商品画像５６をＰＣ１０に対して送信する。つまり、商品購入ユーザは、表示装置１２４に表示された商品画像の色と同じ色（同じ印象の色）の商品画像を表示装置１０４によって見ることができる。
【図面の簡単な説明】
【００３２】
【図１】本発明の実施形態に係る画像処理システムの概略図である。
【図２】サーバが変換プロファイルを作成することにより、商品提供ユーザ側に表示装置に表示された画像を変換し、商品購入ユーザ側の表示装置に表示させる画像を生成する処理を示す模式図である。
【図３】商品提供ユーザ側の表示装置に表示されている画像を、商品購入ユーザ側の表示装置によって略同じ色（同じ色の印象）の画像として表示されるように変換する処理（Ｓ１０）を示すフローチャートである。
【符号の説明】
【００３３】
１・・・画像処理システム
１０，１２・・・ＰＣ
１００，１２０・・・ＰＣ本体
１０２，１２２・・・入力装置
１０４，１２４・・・表示装置
１０６，１２６・・・照明
１４・・・サーバ
２・・・ネットワーク
３，４・・・デジタルカメラ
５０・・・第１の商品画像
５２・・・第１の特性
５４・・・第２の特性
５６・・・第２の商品画像
６・・・変換プロファイル
【図１】
2006094137.tif 000003
【図２】
2006094137.tif 000004
【図３】
2006094137.tif 000005